(57)【特許請求の範囲】
【請求項１】
消火位置から操作ボタンを押して手を離すとガス流路のメイン弁を開弁保持する燃焼位置となり、該燃焼位置から上記操作ボタンを押して手を離すと該メイン弁が閉弁する消火位置に戻る点火・消火機構と、
回動自在に軸支され、バーナの火力を強火力から弱火力まで火力を調整する回動スライド式のガス量調節レバーと、
上記点火・消火機構に連動して、上記ガス量調節レバーを中火力位置に設定し直す火力リセット部とを備えたガス機器のガス量調整装置において、
上記火力リセット部には、消火操作により上記燃焼位置から上記操作ボタンが押され手が離されて上記消火位置に戻るときリセットバネによる付勢力により上記ガス量調節レバーに当接して中火力位置へ移動させると共に、点火操作により上記消火位置から上記操作ボタンを押したとき上記ガス量調節レバーから退避し、上記燃焼位置で上記ガス量調節レバーの調節を自由とするリセットレバーを設けたことを特徴とするガス機器のガス量調整装置。
【請求項２】
上記リセットバネは、上記点火・消火機構に組込まれ、消火方向に付勢する戻しバネを兼用することを特徴とする請求項１記載のガス機器のガス量調整装置。
【請求項３】
上記消火位置では、上記リセットバネの付勢力により火力調節レバーが中火力に保たれることを特徴とする請求項１記載のガス機器のガス量調整装置。
【発明の詳細な説明】
【０００１】
【産業上の利用分野】
本発明はガス機器のガス量調整装置に関し、詳しくは点火時におけるバーナの火力を安全な中火力に設定するガス量調整装置に関する。
【０００２】
【従来の技術】
従来より、テーブルコンロ等のガス機器においては、中華料理のように大火力を用いる場合から、煮物のようにとろ火を用いる場合まで多様な料理に対応させるために広い火力調節範囲が要求されるが、点火時にミスなく確実にダイレクト着火させるためには、バーナの火力が中火力以上に設定されていなければならない。
しかし、大火力で着火された場合には、使用者によっては予想を越えた炎となって、燃えやすい化学繊維等の衣服を焦がしたりして、特に、高齢者が安心して利用できないこととなる。
そこで、例えば、実開平８−２８５２７９号公報に示されるように、点火操作に連動して、点火に適切な中火力位置へ強制的に設定するガス量調節機構が提案されている。
【０００３】
【発明が解決しようとする課題】
しかしながら、点火操作に連動して中火力への設定が行われると、点火操作によっては、中火力への設定途中で強火力のまま着火してしまうといった問題を生じる場合があった。
例えば、通常、テーブルコンロでは、バーナの熱起電力を利用してガス流路を開弁保持するマグネット式安全弁が組込まれており、消火直後に再び点火するような、速い繰り返しでの点火操作を行った場合には、マグネット式安全弁が余熱により開弁保持されているため、中火力への設定が完了しないうちにガス開閉弁が開弁して着火することになってしまう。
即ち、点火操作によっては、点火に適切な中火力位置への設定が機能せず、強火力での着火となる場合があった。
そこで、本発明のガス機器のガス量調整装置は、たとえ速い繰り返し点火が行われた場合であっても、確実に中火力となって点火を行なえるようにすることを目的とする。
【０００４】
【課題を解決するための手段】
上記課題を解決する本発明の請求項１記載のガス機器のガス量調整装置は、
消火位置から操作ボタンを押して手を離すとガス流路のメイン弁を開弁保持する燃焼位置となり、該燃焼位置から上記操作ボタンを押して手を離すと該メイン弁が閉弁する消火位置に戻る点火・消火機構と、
回動自在に軸支され、バーナの火力を強火力から弱火力まで火力を調整する回動スライド式のガス量調節レバーと、
上記点火・消火機構に連動して、上記ガス量調節レバーを中火力位置に設定し直す火力リセット部とを備えたガス機器のガス量調整装置において、
上記火力リセット部には、消火操作により上記燃焼位置から上記操作ボタンが押され手が離されて上記消火位置に戻るときリセットバネによる付勢力により上記ガス量調節レバーに当接して中火力位置へ移動させると共に、点火操作により上記消火位置から上記操作ボタンを押したとき上記ガス量調節レバーから退避し、上記燃焼位置で上記ガス量調節レバーの調節を自由とするリセットレバーを設けたことを要旨とする。
【０００５】
また、本発明の請求項２記載のガス機器のガス量調整装置は、請求項１記載のガス機器のガス量調整装置において、
上記リセットバネは、上記点火・消火機構に組込まれ、消火方向に付勢する戻しバネを兼用することを要旨とする。
また、本発明の請求項３記載のガス機器のガス量調整装置は、請求項１記載のガス機器のガス量調整装置において、
上記消火位置では、上記リセットバネの付勢力により火力調節レバーが中火力に保たれることを要旨とする。
【０００６】
上記構成を有する請求項１記載のガス機器のガス量調整装置は、点火・消火機構を消火位置にすると、それに連動してリセットバネにより付勢されたリセットレバーがガス量調節レバーを押して中火力位置に移動させる。
また、点火・消火機構を燃焼位置にすると、それに連動してリセットレバーがガス量調節レバーから退避し、ガス量調節レバーを規制しなくなり自由に火力調節ができる。
従って、ガス量調節レバーにより、燃焼時の火力が強火力または弱火力に設定されている場合であっても、消火の際には、ガス量調節レバーが中火力に設定される。
この結果、速い繰り返し点火操作を行っても、前もって中火力に設定されており、常に、中火力で燃焼を開始するため、ガス機器における安全性を高めることができる。
【０００７】
また、請求項２記載のガス機器のガス量調整装置は、リセットバネを別途設ける必要がなく、コスト高をおさえることができる。
また、請求項３記載のガス機器のガス量調整装置は、消火位置で火力調節レバーによるスライド回動操作が行われた場合であっても、リセットバネの付勢力により火力調節レバーが中火力に保たれる。
【０００８】
【発明の実施形態】
以上説明した本発明の構成・作用を一層明確にするために、以下、本発明のガス量調節装置を設けた燃焼装置の好適な実施例について説明する。
図１３は燃焼装置であるテーブルコンロの平面図を示し、図１４はその正面図を示している。
このテーブルコンロ５０には、左右に２組のバーナ５２ａ、５２ｂが設けられ、前面に設けられるバーナ点火用の操作ボタン６ａまたは６ｂを押すことによりそれぞれのバーナ５２ａまたは５２ｂが点火され、再度押すことにより消火される。
また、スライド回動操作によって火力を調整する火力調節つまみ１ａ、１ｂは、各々の操作ボタン６ａ、６ｂの上方に設けられる。
【０００９】
図１は、点火・消火機構およびガス量調節機構の概略構成図である。
点火・消火機構には、点火・消火操作用の操作ボタン６と、押圧操作によって回動（図の右方向）する押動レバー７と、この押動レバー７に当接し押圧操作により進退してガス流路内のスピンドル１６を押す摺動部材１０と、スピンドル１６を図の左方へ付勢する戻しバネ１７と、スピンドル１６に固着され操作ボタン６による点火操作により吐出口１８へのガス流路を開閉するメイン弁１９と、同じく点火操作により押動されてガス流路を開き、燃焼時に熱起電力によって開弁状態に保持されるマグネット式安全弁２０とが設けられる。
また、吐出口１８の下流には、火力調節つまみ１のスライド回動操作に連動して流路の開度を変えるニードル部２１が設けられ、この下流でバーナ５２ａ、５２ｂ（以下、バーナ５２と呼ぶ。）に連通されている。
【００１０】
上述した摺動部材１０は、ケーシング１１内にプッシュバネ１３を介して設けられ、摺動部材１０の側面には点火時と消火時とで交互に摺動部材１０の進退位置を決定するプッシュプッシュ機構１４が設けられる。
このプッシュプッシュ機構１４は、点火操作における押圧を開放するとメイン弁１９を開弁したまま、マグネット式安全弁２０を閉弁可能状態とする位置まで後退して摺動部材１０を係止し（燃焼位置）、消火操作における押圧を開放すると摺動部材１０の係止を解除し、所定ストロークだけ図の左方向にスピンドル１６を戻してメイン弁１９を閉弁させるように設けられる（消火位置）。
【００１１】
この摺動部材１０の側面近傍には、摺動部材１０の進退と連動してＯＮ／ＯＦＦする点火スイッチ１５が設けられる。この点火スイッチ１５は、点火操作における押し込み位置でＯＮして点火器（図１）を作動させ、燃焼位置（図３）および消火位置（図１）で０ＦＦして点火器を停止する関係に設けられる。
【００１２】
ガス量調節機構には、スライド回動操作によって火力調節する火力調節つまみ１と、その火力調節つまみ１が装着されて操作力により回動する火力調節レバー２と、火力調節レバー２に連動してガス流量を調節するニードル部２１と、操作ボタン６による消火操作によって火力調節レバー２を中火力位置に設定し直す火力リセット部２４とが設けられる。
【００１３】
このニードル部２１には、図４に示すように、火力調節レバー２に連動して上下動し、その位置に応じたガス流量に調節するニードル２３が設けられ、その上部には中心軸に直交する方向に挿通する係止ピン２５が固定される。この係止ピン２５は、火力調節レバー２に設けた斜め長孔２ａに移動可能に挿通され、固定される固定板４に形成される長孔４ａに挿通される。そして、火力調節レバー２が左右に操作されることにより、係止ピン２５は火力調節レバーの斜め長孔２ａと固定板４の長孔４ａとに案内されて、ニードル２３を上下に移動する。従って、ニードル２３では、火力調節つまみ１を左右へ回動することによって、その位置に応じた開度になってガス量、即ち、火力が調節される。
【００１４】
また、火力リセット部２４には、図１に示すように、一端で軸支され、点火操作による押圧操作によって時計方向に回動し、消火操作による押圧操作を開放すると戻しバネ１７およびプッシュバネ１３力により反時計方向に回動する押動レバー７と、押動レバー７の他端と連結されて押動力を伝える連結板８と、この連結板８に接続されて押圧操作によって回動するリセットレバー９とが設けられる。
【００１５】
このリセットレバー９は、図５に示すように、２つのＬ字状板を所定間隔あけて互いに向い合うようにコの字形に一体形成した金具で支軸５により軸支されると共に、コの字形の連結板８と回動可能に連結される。
また、互いに向かい合うように左右に形成されたつめ片９ａ、９ｂは、火力調節レバー２における左右の端部３ａ、３ｂに接離するように設けられる。
【００１６】
次に、点火，消火操作時における動作について、図１乃至図３を用いて説明する。
尚、図１は消火後の消火位置を、図２は点火の際に押圧する終端位置を、図３は燃焼位置を示している。
【００１７】
点火操作時に、操作ボタン６がマグネット式安全弁２０の全開位置まで押し付けられたときには、押動レバー７および連結板８を介してリセットレバー９が支軸５を中心に時計方向に回転し、リセットレバー９のつめ片９ａ、９ｂが火力調節レバー２の端部３ａ、３ｂから離間する（図１→図２）。（火力調節レバー２は、後述するように消火位置で中火力に設定されている。）
そして、バーナ５２への着火を確認して操作ボタン６から手を離すと、プッシュバネ１３および戻しバネ１７によりリセットレバー９が反時計方向に回転して戻るが、プッシュプッシュ機構１４における燃焼位置で係止され、リセットレバー９と火力調節レバー２との離間を保つ（図２→図３）。
従って、燃焼状態では、火力調節つまみ１を自由に回動操作でき、火力調節することができる（図３および図６（ロ））。
【００１８】
続いて、消火操作を行って操作ボタン６が押されると、リセットレバー９が少し時計方向に回転し、手を離すと、プッシュプッシュ機構１４の係止が解除され、摺動部材１０およびスピンドル１６がプッシュバネ１３および戻しバネ１７により図左方向に戻り、その付勢力が押動レバー７、連結板８からリセットレバー９に伝達され、リセットレバー９が反時計方向に回転する（図５に示す矢印方向に作用する。）。そして、リセットレバー９のつめ片９ａ、９ｂが火力調節レバー２の端部３ａ、３ｂに当接し、火力調節つまみ１が強火力または弱火力位置にある場合には、火力調節レバー２を中火力位置に戻す（図３→図１）（図６（ロ）→（イ））。
また、消火位置で、更に、火力調節つまみ１によるスライド回動操作が行われた場合であっても、リセットレバー９に伝達される付勢力によって、中火力位置に保たれる。
【００１９】
以上、説明したように本実施例のテーブルコンロのガス量調節装置は、消火位置で作用するバネ力により、火力調節つまみ１が中火力位置に戻されて設定される。従って、燃焼中にどのような火力に調節されていたとしても、次の点火時には、常に、中火力のガス量となって、適切な着火が行われる。
この結果、消火直後、マグネット式安全弁２０が開弁保持され、メイン弁１９の開弁と同時に着火してしまう場合であっても、確実に中火力となって点火が行なわれる。
従って、高齢者であっても安心して燃焼機器の使用ができる。
また、常に使用頻度の高い中火力からスタートするため、わざわざ中火力に調節する手間も省け使い勝手がよい。
また、火力調節レバー２を中火力位置に戻す力は、点火・消火機構に組込まれ、消火方向に付勢するプッシュバネ１３および戻しバネ１７力を利用するため、後述する第２実施例のように、リセットレバー９を付勢するバネを別途設ける必要がなく、コスト高をおさえることができる。
【００２０】
次に、第２実施例について図７乃至図９に基づいて説明する。
尚、図７は消火後の消火位置を、図８は点火の際に押圧する終端位置を、図９は燃焼位置を示している。この第２実施例においては、第１の実施例と同じ部分については図面に同一符号を付して重複した説明を省略する。
第１実施例は、消火位置で火力調節つまみ１を中火力にする付勢力として、点火・消火機構に組み込まれたバネ力を利用するのに対し第２の実施例では、専用のリセットバネ２２をリセットレバー９０に設けた点が異なる。
リセットレバー９０は、同様に、つめ片９ａ、９ｂを備えて火力調節レバー２における左右の端部３ａ、３ｂに接離するように設けられる。また、図７に示すように、その他端には後述する押動レバー７０から押圧力を伝達されると共に、その当接部を下側に案内するガイド部９０ｃが設けられ、リセットレバー９０を反時計方向に付勢するリセットバネ２２が設けられる。
押動レバー７０には、リセットレバー９０に押圧力を伝達すると共に、リセットレバー９０の下に滑り込む丸み部７０ａが形成される。
【００２１】
次に、第２実施例における動作を説明する。
点火操作時に、操作ボタン６がマグネット式安全弁２０の全開位置まで押し付けられたときには、押動レバー７０の丸み部７０ａがリセットレバー９０に当接し、リセットバネ２２力に打ち勝って回動し、リセットレバー９０のつめ片９ａ、９ｂが火力調節レバー２の端部３ａ、３ｂから離間する（図７→図８）。（火力調節レバー２は、消火位置で中火力に設定されている。）
そして、バーナ５２への着火を確認して操作ボタン６から手を離すと、リセットバネ２２によりリセットレバー９０が逆方向に回動して戻るが、プッシュプッシュ機構１４における燃焼位置で係止され、リセットレバー９０と火力調節レバー２との離間が保たれている（図８→図９）。
従って、この燃焼位置では、火力調節つまみ１を自由に回動し、火力を調節することができる（図９および図６（ロ））。
【００２２】
次に、消火操作時に、操作ボタン６が押されると、リセットレバー９０が少し時計方向に回転し、手を離すと、プッシュプッシュ機構１４の係止が解除され、摺動部材１０およびスピンドル１６がプッシュバネ１３および戻しバネ１７により図左方向に戻る。このとき、リセットレバー９０がリセットバネ２２により反時計方向に回転する。
従って、リセットレバー９０のつめ片９ａ、９ｂが火力調節レバー２の端部３ａ、３ｂに当接し、燃焼時に火力調節つまみ１が強火力または弱火力位置にある場合には、リセットバネ２２が火力調節レバー２を中火力位置に戻す（図９→図７）（図６（イ））。
また、消火位置で、更に、火力調節つまみ１による調節が行われた場合であっても、リセットバネ２２により中火力に保たれる。
【００２３】
この第２実施例では、リセットレバー９０に直接リセットバネ２２を設けるので、点火・消火機構における摺動抵抗の増加とは関係なく、また、ストロークのロスなくバネ力を有効にリセットレバー９０へ伝えることができる。
また、押動レバー７０とリセットレバー９０とを連結するリンク機構（第１実施例の連結板８に相当する）が不要であるため、修理の際に、接続部を外す必要が無くなって修理が容易である。
更に、消火位置で、万が一にもリセットレバー９０がリセットバネ２２により反時計方向に回転しないトラブルが発生した場合であっても、押動レバー７０は、消火位置に戻って、メイン弁１９を確実に閉弁させることができる。
【００２４】
次に、第３実施例について図１０乃至図１２に基づいて説明する。
尚、図１０は消火後の消火位置を、図１１は点火の際に押圧する終端位置を、図１２は燃焼位置を示している。この第３実施例においては、第２の実施例と同じ部分については図面に同一符号を付して重複した説明を省略する。
前述の第２実施例は、押動レバー７０からリセットレバー９０に押動力を伝達するのに対し、第３の実施例では、押動レバー７０とリセットレバー９１間に、補助レバー９２を設けた点が異なる。
リセットレバー９１は、同様に、つめ片９ａ、９ｂを備えて火力調節レバー２における左右の端部３ａ、３ｂに接離するように設けられる。また、図１０に示ように、リセットレバー９１の他端には、軸支されて回動可能なコの字形の補助レバー９２と、このリセットレバー９１を反時計方向に付勢するリセットバネ９３とが設けられる。
この補助レバー９２の側面には円弧状の案内長孔９５が設けられ、本体１２に固定された支軸９４が挿通される。また、補助レバー９２には、押動レバー７０からの押圧力を受けるように、その中央に当接面９２ｃが設けられる。
【００２５】
次に、第３実施例における動作を説明する。
点火操作時に、操作ボタン６がマグネット式安全弁２０の全開位置まで押し付けられたときには、押動レバー７０の丸み部７０ａが補助レバー９２に当接し、補助レバー９２は、案内長孔９５に挿通する支軸９４に案内され、反時計方向に回動しながら移動する。そして、その回動支点が設けられるリセットレバー９１に移動力が伝達され、リセットバネ９３力に打ち勝って、リセットレバー９１を時計方向に回動し、リセットレバー９１のつめ片９ａ、９ｂが火力調節レバー２の端部３ａ、３ｂから離間する（図１０→図１１）。（火力調節レバー２は、消火位置で中火力に設定されている。）
そして、バーナ５２への着火を確認して操作ボタン６から手を離すと、リセットバネ９３によりリセットレバー９１が逆方向に回動して戻るが、プッシュプッシュ機構１４における燃焼位置で係止され、リセットレバー９１と火力調節レバー２との離間が保たれている（図１１→図１２）。
従って、この燃焼位置では、火力調節つまみ１を自由に回動し、火力を調節することができる（図１２および図６（ロ））。
【００２６】
次に、消火操作時に、操作ボタン６が押されると、リセットレバー９１が少し時計方向に回転し、手を離すと、プッシュプッシュ機構１４の係止が解除され、摺動部材１０およびスピンドル１６がプッシュバネ１３および戻しバネ１７により図左方向に戻る。このとき、リセットレバー９１がリセットバネ９３により反時計方向に回転する。
従って、リセットレバー９１のつめ片９ａ、９ｂが火力調節レバー２の端部３ａ、３ｂに当接し、燃焼時に火力調節つまみ１が強火力または弱火力位置にある場合には、リセットバネ９３が火力調節レバー２を中火力位置に戻す（図１２→図１０）（図６（イ））。
また、消火位置で、更に、火力調節つまみ１による調節が行われた場合であっても、リセットバネ９３により中火力に保たれる。
【００２７】
この第３実施例では、第２実施例のように押動レバー７０の丸み部７０ａがリセットレバー９０の下に滑り込んでリセットレバー９０を回動することとは異なり、押動レバー７０の丸み部７０ａと補助レバー９２の当接面９２ｃとがほとんんど摺動しないために、押動レバー７０の丸み部７０ａの摩滅を少なくすることができる。
【００２８】
以上、本発明の実施例について説明したが、本発明はこうした実施例に何等限定されるものではなく、本発明の趣旨を逸脱しない範囲において、種々なる態様で実施し得ることは勿論である。
例えば、本実施例では、点火・消火機構を操作ボタン６による前後方向の押動操作による構成としたが、点火ツマミによる回動操作と連動し、消火時に、リセットレバー９が動作して火力調節つまみ１を中火力にリセットし、点火時に、そのリセットを解除する構成としても良い。
【００２９】
また、本実施例で述べる中火力とは、最大火力と最小火力との間の点火に最適なガス量をいい、必ずしも最大火力と最小火力との平均ガス量を意味しない。
【００３０】
また、第２本実施例では、リセットバネ２２に引っ張りばねを用いたがトルクバネを用いる構成であっても良い。
【００３１】
また、第１実施例で示したように、リセットバネとして戻しバネを兼用する場合には、摺動部材１０と押動レバー７とスピンドル１６とを連結し、戻しバネ１７を押動レバー７または摺動部材１０に設ける構成であっても良い。
【００３２】
また、リセットバネ２２は、リセットレバー９０おける左右のＬ字形の片方にだけ設けても、両方に設ける構成であっても良い。
【００３３】
【発明の効果】
以上、詳述したように本発明の請求項１記載のガス機器のガス量調整装置によれば、消火の際にはガス量調節レバーが中火力に設定されるため、速い繰り返し点火操作を行っても、常に中火力で燃焼開始することとなり、点火時におけるガス機器の安全性を高めることができるという優れた効果を奏する。また、常に、使用頻度の高い中火力からスタートするので使い勝手がよい。
【００３４】
また、請求項２記載のガス機器のガス量調整装置によれば、請求項１による効果に加え、リセットバネを兼用化して、コスト高をおさえることができる。
また、請求項３記載のガス機器のガス量調整装置によれば、請求項１による効果に加え、消火位置で火力調節レバーによるスライド回動操作が行われた場合であっても、リセットバネの付勢力により火力調節レバーを中火力に保つことができる。
【図面の簡単な説明】
【図１】本発明の第１実施例に係るガス量調節装置の概略構成図である（消火位置）。
【図２】本発明の第１実施例に係るガス量調節装置の動作説明図である（終端位置）。
【図３】本発明の第１実施例に係るガス量調節装置の動作説明図である（燃焼位置）。
【図４】ニードル部についての説明図である。
【図５】本発明の第１実施例に係る火力調節レバーとリセットレバーとの斜視図である。
【図６】本発明のガス量調節装置の動作説明図である。
【図７】本発明の第２実施例に係るガス量調節装置の概略構成図である（消火位置）。
【図８】本発明の第２実施例に係るガス量調節装置の動作説明図である（終端位置）。
【図９】本発明の第２実施例に係るガス量調節装置の動作説明図である（燃焼位置）。
【図１０】本発明の第３実施例に係るガス量調節装置の概略構成図である（消火位置）。
【図１１】本発明の第３実施例に係るガス量調節装置の動作説明図である（終端位置）。
【図１２】本発明の第３実施例に係るガス量調節装置の動作説明図である（燃焼位置）。
【図１３】一般的なテーブルコンロの平面図である。
【図１４】一般的なテーブルコンロの正面図である。
【符号の説明】
１          火力調節つまみ
２          火力調節レバー
３ａ、３ｂ  端部
４          固定板
６          操作ボタン
７          押動レバー
８          連結板
９、９０    リセットレバー
９ａ、９ｂ  つめ片
１０          摺動部材
１１          ケーシング
１３          プッシュバネ
１４          プッシュプッシュ機構
１５          点火スイッチ
１６          スピンドル
１７          戻しバネ
１８          吐出口
１９          メイン弁
２０          マグネット式安全弁
２１          ニードル部
２２          リセットバネ
【図１】
0003580467.tif 000002
【図２】
0003580467.tif 000003
【図３】
0003580467.tif 000004
【図４】
0003580467.tif 000005
【図５】
0003580467.tif 000006
【図６】
0003580467.tif 000007
【図７】
0003580467.tif 000008
【図８】
0003580467.tif 000009
【図９】
0003580467.tif 000010
【図１０】
0003580467.tif 000011
【図１１】
0003580467.tif 000012
【図１２】
0003580467.tif 000013
【図１３】
0003580467.tif 000014
【図１４】
0003580467.tif 000015